(57)【要約】【課題】迷光の受光ユニットへの伝播を良好に抑制可能な光デバイスを提供する。【解決手段】光デバイス１は、光ファイバ１１１からの光信号Ｌを、分岐ミラー１５によって反射光成分Ｌｒと透過光成分Ｌｔとに分岐し、透過光成分Ｌｔを受光ユニット１９で受光し、光パワーを観測する。反射光成分Ｌｒは、光ファイバ１１２に向けて伝播する。光ファイバ１１１，１１２を保持するファイバアセンブリ１１は、ＧＲＩＮレンズ１３の第一端面と対向配置される。ＧＲＩＮレンズ１３の第二端面には、分岐ミラー１５が配置される。分岐ミラー１５のＧＲＩＮレンズ１３とは反対側の端面には、迷光抑制材１７が設けられる。迷光抑制材１７は、透過光成分Ｌｔの正規光路に対応する中心領域に開口部を有する。光信号Ｌの透過光成分Ｌｔは、この開口部を通って受光ユニット１９に伝播する。迷光抑制材１７は、開口部周囲に到来する迷光の受光ユニット１９への伝播を阻止する。【選択図】図１
2015148752.tif 000002
【特許請求の範囲】
【請求項１】
光パワーを観測するための受光ユニットと、
第一の光ファイバからの光信号を、第二の光ファイバに向かう反射光成分と、前記受光ユニットに向かう透過光成分と、に分岐する分岐ユニットと、
前記分岐ユニットの表面上の領域、前記分岐ユニットと前記第一の光ファイバとの間の領域、及び前記分岐ユニットと前記第二の光ファイバとの間の領域の少なくとも一つであって、前記反射光成分及び前記透過光成分を含む前記光信号の正規光路以外の領域に設けられて、迷光の前記分岐ユニットを通じた前記受光ユニットへの伝播を抑制する抑制ユニットと、
を備えること
を特徴とする光デバイス。
【請求項２】
前記抑制ユニットは、前記分岐ユニットの表面における前記正規光路の周囲を被覆するように設けられていること
を特徴とする請求項１記載の光デバイス。
【請求項３】
前記第一及び第二の光ファイバと前記分岐ユニットとの間には、前記正規光路上にレンズが設けられており、
前記抑制ユニットは、更に、前記レンズの表面における前記正規光路の周囲を被覆するように設けられていること
を特徴とする請求項２記載の光デバイス。
【請求項４】
前記第一及び第二の光ファイバは、並列配置されており、
前記受光ユニットは、前記分岐ユニットを挟んで、前記第一及び第二の光ファイバとは反対側に配置されていること
を特徴とする請求項１又は請求項２記載の光デバイス。
【請求項５】
前記第一及び第二の光ファイバと前記分岐ユニットとの間には、前記正規光路上にＧＲＩＮレンズが設けられており、
前記分岐ユニットは、前記ＧＲＩＮレンズの前記第一及び第二の光ファイバとは反対側の端面に設けられ、
前記抑制ユニットは、前記分岐ユニットの前記受光ユニット側の表面における前記正規光路の周囲を被覆するように設けられていること
を特徴とする請求項４記載の光デバイス。
【請求項６】
前記分岐ユニットから前記受光ユニットまでの空間には、前記透過光成分の正規光路周辺を包囲するカバー体であって、前記第二の光ファイバ側から前記分岐ユニットを透過して到来する迷光の前記受光ユニット側を向くベクトル成分を低減するための内部構造を有したカバー体が設けられていることを特徴とする請求項１〜請求項５のいずれか一項記載の光デバイス。
【請求項７】
前記内部構造は、前記受光ユニット側を向くベクトル成分を反射時に異なる向きに変換する前記カバー体の内壁に設けられた傾斜面によって構成されていること
を特徴とする請求項６記載の光デバイス。
【請求項８】
前記分岐ユニットと前記受光ユニットとの間には、前記透過光成分の正規光路に対応する部位に孔を有するピンホール形成体であって、前記透過光成分の正規光路の周囲からの前記迷光の前記受光ユニットへの伝播を抑制するピンホール形成体が更に設けられていること
を特徴とする請求項１〜請求項７のいずれか一項記載の光デバイス。
【発明の詳細な説明】
【技術分野】
【０００１】
本発明は、光パワーの観測機能を有した光デバイスに関する。
【背景技術】
【０００２】
従来、光通信の分野、例えば光波長多重通信の分野では、光ファイバ内を伝播する光信号のパワーレベルを適切に調整し、信頼性の高いシステムを構築するために、光ファイバ内を伝播する光信号のパワーを観測（モニタリング）することが行われている。
【０００３】
この種の観測機能を有する光デバイスとしては、入力光ファイバからの光信号を、分岐（タップ）ミラーにより反射光成分と透過光成分とに分岐し、反射光成分を出力光ファイバに入力する一方、透過光成分を受光ユニットで受光することにより、光ファイバ内を伝播する光信号のパワーを観測する光デバイスが知られている（特許文献１参照）。
【０００４】
具体的には、入力光ファイバからの光信号のみを検知し、出力光ファイバからの戻り光を検出しないようにするために、分岐ミラーから受光ユニットまでの光路を覆うスリーブの内孔を、中心軸の異なる二つの円孔により構成した光デバイスが知られている。
【０００５】
この光デバイスによれば、二つの円孔の働きによって受光ユニットにおける戻り光の受光が抑制され、方向性特性がおよそ３０デシベルまで改善される。方向性特性とは、入力光ファイバから光を入力したときの受光ユニットの受光感度Ａと、出力光ファイバから光を入力したときの受光ユニットの受光感度Ｂとの比（Ａ／Ｂ）をデシベル表現したものである。
【先行技術文献】
【特許文献】
【０００６】
【特許文献１】国際公開第２００５／１２４４１５号
【発明の概要】
【発明が解決しようとする課題】
【０００７】
しかしながら、従来の光デバイスでは、戻り光の内、限られた経路で伝播する成分の受光ユニットへの伝播を抑制することができるだけであった。例えば、戻り光が光デバイス内部で多重反射して生じる多様な方向を有する成分の受光ユニットへの伝播を、効果的に抑制することが難しかった。このため、従来技術では、戻り光を含まない観測対象の光パワーを高精度に観測することが難しかった。
【０００８】
本発明は、こうした点に鑑みなされたものであり、光パワーを観測可能な光デバイスであって、観測対象以外の迷光の受光ユニットへの伝播を良好に抑制可能な光デバイスを提供することを目的とする。
【課題を解決するための手段】
【０００９】
本発明の光デバイスは、受光ユニットと、分岐ユニットと、抑制ユニットとを備える。分岐ユニットは、第一の光ファイバからの光信号を、第二の光ファイバに向かう反射光成分と、受光ユニットに向かう透過光成分と、に分岐する。受光ユニットは、光パワーを観測するために設けられる。
【００１０】
抑制ユニットは、反射光成分及び透過光成分を含む光信号の正規光路以外の領域に設けられて、迷光の分岐ユニットを通じた受光ユニットへの伝播を抑制する。ここで言う迷光は、受光ユニットにおいて光パワーを観測する対象（ターゲット）以外の光のことを言う。
【００１１】
本発明の抑制ユニットは、分岐ユニットの表面上の領域、分岐ユニットと第一の光ファイバとの間の領域、及び、分岐ユニットと第二の光ファイバとの間の領域の少なくとも一つに設けられる。
【００１２】
この光デバイスによれば、分岐ユニットより第一及び第二の光ファイバ側に存在する迷光、例えば第二の光ファイバからの戻り光が光デバイスの内部空間で多重反射して生じる迷光が、受光ユニット側へ伝播するのを効果的に抑制することができる。従って、この光デバイスによれば、例えば方向性特性を改善することができ、迷光以外の観測対象の光パワーを高精度に観測することができる。
【００１３】
具体的に、抑制ユニットは、分岐ユニットの表面上の領域に、この表面に接触するように設けられてもよいし、表面に接触しないように設けられてもよい。この他、抑制ユニットは、分岐ユニットの表面における正規光路の周囲を被覆するように配置され得る。
【００１４】
この配置によれば、分岐ユニットにおける受光ユニット側への迷光の進入路が限定的になるために、受光ユニット側への迷光の伝播を効果的に抑制することができる。この抑制ユニットは、例えば、上記表面を被覆するリング部材やピンホール部材として構成されてもよいし、樹脂や塗料等により形成される被覆膜であってもよい。
【００１５】
第一及び第二の光ファイバと分岐ユニットとの間の正規光路上にレンズが設けられる場合には、レンズの正規光路の周辺からの迷光が受光ユニットに伝播して、観測精度に好ましくない影響を与える可能性がある。そこで、抑制ユニットは、レンズの表面における正規光路の周囲を被覆するように設けられてもよい。
【００１６】
上述した本発明は、第一及び第二の光ファイバが並列配置され、受光ユニットが分岐ユニットを挟んで、第一及び第二の光ファイバとは反対側に配置される光デバイスに適用されると、特に有益である。この種の光デバイスに対し、本発明を適用すれば、迷光が受光ユニットで受光されるのを効果的に抑えることができる。
【００１７】
また、第一及び第二の光ファイバと分岐ユニットとの間においては、その正規光路上にＧＲＩＮレンズを設けることができる。分岐ユニットは、ＧＲＩＮレンズの第一及び第二の光ファイバとは反対側の端面に設けられ得る。この種の光デバイスに対し、抑制ユニットは、迷光を効果的に抑制するために、分岐ユニットの受光ユニット側の表面における正規光路の周囲を被覆するように設けられ得る。
【００１８】
更に、分岐ユニットから受光ユニットまでの空間には、透過光成分の正規光路周辺を包囲するカバー体を設けることができる。このカバー体は、第二の光ファイバ側から分岐ユニットを透過して到来する迷光の受光ユニット側を向くベクトル成分を低減するための内部構造を有した構成にされ得る。内部構造は、受光ユニット側を向くベクトル成分を反射時に異なる向き（好ましくは直交する向き）に変換する傾斜面によって構成され得る。
【００１９】
この他、分岐ユニットと受光ユニットとの間には、透過光成分の正規光路に対応する部位に孔を有するピンホール形成体を更に設けることができる。このピンホール形成体は、透過光成分の正規光路の周囲からの迷光の受光ユニットへの伝播を抑制する機能を果たす。
【００２０】
上記カバー体及びピンホール形成体の少なくとも一方を設けることによっては、迷光が受光ユニットで受光されるのを一層抑えることができ、目的の光パワーを一層高精度に観測することができる。
【図面の簡単な説明】
【００２１】
【図１】第一実施例の光デバイスの構成を表す図である。
【図２】迷光抑制材によって被覆される分岐ミラー端面の領域を表す図である。
【図３】図３（Ａ）は、ファイバアセンブリ及びＧＲＩＮレンズ周辺の断面であって、光ファイバが並列配置された面に平行な断面の概略を表す図であり、図３（Ｂ）は、光ファイバが並列配置された面に垂直な断面の概略を表す図である。
【図４】第二実施例の光デバイスの構成を表す図である。
【図５】第三実施例の光デバイスの構成を表す図である。
【発明を実施するための形態】
【００２２】
以下では、本発明の実施例を、図面と共に説明する。但し、本発明は、以下に説明する実施例に限定されるものではなく、種々の態様を採り得る。
［第一実施例］
図１に示す本実施例の光デバイス１は、入力光ファイバ１１１からの光信号Ｌを、分岐ミラー１５によって反射光成分Ｌｒと透過光成分Ｌｔとに分岐し、反射光成分Ｌｒを出力光ファイバ１１２に向けて出力する一方、透過光成分Ｌｔを受光ユニット１９で受光することにより、光ファイバ１１１，１１２内を伝播する光信号Ｌのパワーを観測する所謂パワーモニタである。図１において実線矢印は、正規光路を伝播する光信号Ｌ（反射光成分Ｌｒ及び透過光成分Ｌｔを含む）のおよその伝播方向を示したものである。
【００２３】
この光デバイス１は、図１に示すように、入力光ファイバ１１１及び出力光ファイバ１１２を保持する円柱状の二芯ファイバアセンブリ１１と、ＧＲＩＮレンズ１３と、分岐ミラー１５と、迷光抑制材１７と、受光ユニット１９と、カバー体２０と、を備える。図１では、光信号Ｌに対する透過性を有する部材の断面が、ハッチングなしで示される。他の図面においても同様に、光信号Ｌに対する透過性を有する部材の断面は、ハッチングなしで示される。
【００２４】
入力光ファイバ１１１及び出力光ファイバ１１２は、ファイバアセンブリ１１において、ファイバアセンブリ１１の中心軸に沿って保持される。具体的に、入力光ファイバ１１１及び出力光ファイバ１１２は、互いに僅かに離れた位置で並列配置される。入力光ファイバ１１１及び出力光ファイバ１１２は、例えば、シングルモードファイバとして構成される。
【００２５】
ＧＲＩＮレンズ１３は、ファイバアセンブリ１１の中心軸に沿って、ファイバアセンブリ１１に近接配置される。このＧＲＩＮレンズ１３は、屈折率分布型レンズとも呼ばれる円柱状のレンズであり、中心軸から外周に向かって屈折率が減少する性質を有する。この屈折率の分布により、ＧＲＩＮレンズ１３の中心軸からずれた位置を伝播する光信号Ｌは、ＧＲＩＮレンズ１３の中心軸方向に曲げられる。
【００２６】
ＧＲＩＮレンズ１３の第一端面は、入力光ファイバ１１１及び出力光ファイバ１１２の端面と対向する位置に配置され、この第一端面とは反対側のＧＲＩＮレンズ１３の第二端面には、その端面全体に亘って広がる分岐ミラー１５が設けられる。図示しないが、ＧＲＩＮレンズ１３の側面に沿っては、外光のＧＲＩＮレンズ１３内への進入を防止するためのカバー体が設けられ得る。
【００２７】
分岐ミラー１５は、所定の光量比で、ＧＲＩＮレンズ１３側からの光を、反射光成分と透過光成分とに分岐する。分岐ミラー１５は、例えば、ＧＲＩＮレンズ１３の第二端面に設けられたタップ膜によって構成される。タップ膜は、例えばハーフミラー膜である。
【００２８】
入力光ファイバ１１１からの光信号Ｌは、ＧＲＩＮレンズ１３を通って分岐ミラー１５に到達し、ここで、反射光成分Ｌｒと透過光成分Ｌｔとに分岐される。この光信号Ｌの反射光成分Ｌｒは、ＧＲＩＮレンズ１３を通って、出力光ファイバ１１２に入力され、この出力光ファイバ１１２を通じて外部に伝播する。一方、光信号Ｌの透過光成分Ｌｔは、分岐ミラー１５の受光ユニット１９側の端面を通って、受光ユニット１９に向けて伝播する。
【００２９】
迷光抑制材１７は、分岐ミラー１５のＧＲＩＮレンズ１３側の端面とは反対側の端面上に設けられる。迷光抑制材１７は、この端面全体の内、光信号Ｌ（透過光成分Ｌｔ）の正規光路以外の領域を被覆する。
【００３０】
迷光抑制材１７は、例えば、中心に開口部を有する不透明のリング部材で構成されて、図２に示すように分岐ミラー１５の端面の内、正規光路に対応する中心領域以外を被覆する。図２に示すハッチング領域は、迷光抑制材１７が存在する領域に対応し、迷光抑制材１７によって被覆される上記端面の領域に対応する。但し、迷光抑制材１７は、分岐ミラー１５の端面に、樹脂や塗料を原料とする被覆膜として形成されてもよい。
【００３１】
迷光抑制材１７は、この被覆によって、出力光ファイバ１１２からの戻り光Ｒであって光デバイス１内での多重反射により分岐ミラー１５側に到来する反射光成分Ｒｒが迷光として受光ユニット１９に伝播するのを抑制する（詳細後述）。この迷光抑制材１７の表面には、反射防止機能（例えば反射防止膜）が付与され得る。迷光抑制材１７の中心に設けられた開口部の径は、光信号Ｌの透過光成分Ｌｔのビーム径に応じて定められ得る。
【００３２】
受光ユニット１９は、図１に示すように、分岐ミラー１５に対して入力光ファイバ１１１とは反対側の位置であって、分岐ミラー１５を通じて到来する光信号Ｌの透過光成分Ｌｔの正規光路上に設けられて、到来する光のパワーを検出する。
【００３３】
受光ユニット１９は、例えば、フォトダイオードにより構成される。受光ユニット１９により検出された光パワーの検出信号は、処理ユニット３０に入力される。処理ユニット３０は、例えば、光パワーの検出値を、図示しないディスプレイに表示する。
【００３４】
また、カバー体２０は、ＧＲＩＮレンズ１３の受光ユニット１９側の端部から受光ユニット１９までの空間を包囲して密閉するように設けられる。このカバー体２０は、ＧＲＩＮレンズ１３の一部、分岐ミラー１５及び迷光抑制材１７を収容する第一収容部２１と、受光ユニット１９を収容する第二収容部２３と、光信号Ｌの透過光成分Ｌｔの正規光路周囲に空間を形成する空間形成部２５と、を備える。
【００３５】
第二収容部２３は、受光ユニット１９よりも分岐ミラー１５側に、ピンホール形成壁２３１を備える。ピンホール形成壁２３１は、受光ユニット１９を分岐ミラー１５側の空間からおよそ遮蔽するが、光信号Ｌの透過光成分Ｌｔの正規光路に対応する位置に開口部２３３を形成する。このピンホール形成壁２３１は、透過光成分Ｌｔの正規光路以外から到来する光が受光ユニット１９にて受光されるのをおよそ防止する。
【００３６】
また、空間形成部２５は、カバー体２０の内部空間を形成する。この空間形成部２５の内壁には、例えば反射防止膜を設けることができる。反射防止膜は、カバー体２０内において迷光が到来し得る箇所全体に形成され得る。
【００３７】
更に、この空間形成部２５は、出力光ファイバ１１２からの戻り光Ｒの分岐ミラー１５で透過する透過光成分Ｒｔが到来する内壁に傾斜面２５１を有した構成にされる。傾斜面２５１は、出力光ファイバ１１２からの戻り光Ｒの透過光成分Ｒｔが反射する際に、その透過光成分Ｒｔの受光ユニット１９側を向くベクトル成分が低減されるように角度付けられる。具体的には、透過光成分Ｒｔの受光ユニット１９側を向くベクトル成分（図１中の横成分）が、直交する向き（図１中の縦成分）に変換されるように角度付けられる。
【００３８】
本実施例の光デバイス１は、この傾斜面２５１及びピンホール形成壁２３１の働きによって、分岐ミラー１５を透過した戻り光Ｒの透過光成分Ｒｔが受光ユニット１９にて受光されるのを抑制する一方、迷光抑制材１７の働きによって、戻り光Ｒの多重反射した反射光成分Ｒｒが受光ユニット１９側に伝播するのを抑制する。
【００３９】
ここで、図３（Ａ）及び図３（Ｂ）を用いて、戻り光ＲのＧＲＩＮレンズ１３内での伝播態様を説明する。図３（Ａ）は、入力光ファイバ１１１及び出力光ファイバ１１２が並列配置された面に平行な断面に関しての、ファイバアセンブリ１１及びＧＲＩＮレンズ１３の概略断面図である。図３（Ｂ）は、入力光ファイバ１１１及び出力光ファイバ１１２が並列配置された面に垂直な断面に関しての、ファイバアセンブリ１１及びＧＲＩＮレンズ１３の概略断面図である。
【００４０】
図３（Ａ）では、伝播態様を分かり易く説明するために、光ファイバ１１１，１１２の径及び光ファイバ１１１，１１２間の間隔を大きく表しているが、実際の径及び間隔は、これよりも小さい。図１についても同様である。また、図３（Ａ）及び図３（Ｂ）における実線矢印は、光信号Ｌを表し、破線矢印は、戻り光Ｒを表す。
【００４１】
図３（Ａ）からも理解できるように、出力光ファイバ１１２からの戻り光Ｒは、分岐ミラー１５によって、反射光成分Ｒｒと透過光成分Ｒｔとに分岐される。この透過光成分Ｒｔは、迷光抑制材１７をすり抜けて、図１に示すようにカバー体２０の内部空間に伝播する。
【００４２】
しかしながら、この透過光成分Ｒｔは、入力光ファイバ１１１からの光信号Ｌの透過光成分Ｌｔとは、その伝播方向が異なるために、受光ユニット１９側ではなく傾斜面２５１側に伝播する。従って、傾斜面２５１及びピンホール形成壁２３１の働きによって、戻り光Ｒの透過光成分Ｒｔは、ほとんど受光ユニット１９で受光されない。
【００４３】
これに対し、反射光成分Ｒｒは、ＧＲＩＮレンズ１３内において入力光ファイバ１１１側に伝播する。そして、入力光ファイバ１１１近傍のＧＲＩＮレンズ１３の第一端面で反射したり、ＧＲＩＮレンズ１３の第一端面を飛び出した後、ファイバアセンブリ１１で反射して再びＧＲＩＮレンズ１３内に進入したりする。
【００４４】
この多重反射成分としての反射光成分Ｒｒが分岐ミラー１５に伝播するときには、入力光ファイバ１１１側から反射光成分Ｒｒが分岐ミラー１５に到来するという点で、反射光成分Ｒｒは、光信号Ｌと似ている。
【００４５】
但し、ＧＲＩＮレンズ１３の入力光ファイバ１１１を向く第一端面には、入力光ファイバ１１１からの光信号ＬのＧＲＩＮレンズ１３への導入を容易にするために、一般的に、８度ほど傾斜が設けられる。本実施例においても、図３（Ｂ）から理解できるように、ＧＲＩＮレンズ１３の第一端面は、入力光ファイバ１１１及び出力光ファイバ１１２が並列配置された面に垂直な方向に対して傾いている。第一端面に向かい合うファイバアセンブリ１１の端面も、第一端面の傾きに対応して、傾いている。
【００４６】
従って、反射光成分Ｒｒは、ＧＲＩＮレンズ１３の第一端面側で更に反射するときに、図３（Ｂ）に示すように、光信号Ｌとは異なる経路で、分岐ミラー１５側に伝播する。具体的に、反射光成分Ｒｒは、分岐ミラー１５における迷光抑制材１７によって被覆された領域に向けて伝播する。この結果、戻り光Ｒの反射光成分Ｒｒは、迷光抑制材１７によって受光ユニット１９側への伝播を阻害される。
【００４７】
本実施例の光デバイス１では、このような原理で、戻り光Ｒの多重反射成分が迷光として受光ユニット１９側に伝播するのを抑制する。このため、光デバイス１は、従来よりも良好な方向性特性を示す。具体的には、方向性特性が４０ｄＢ程度まで改善される。
【００４８】
従って、本実施例の光デバイス１によれば、単一方向パワーモニタとして優れた機能を果たし、戻り光Ｒによる影響を抑えて、高精度に、光ファイバ１１１，１１２内を伝播する光信号Ｌのパワーを受光ユニット１９により観測することができる。
【００４９】
本実施例によれば、特に、分岐ミラー１５の端面に樹脂や塗料により迷光抑制材１７を形成するといった簡単な手法で、光デバイス１の方向性特性を向上させることができるために、安価に高精度なパワーモニタを製造し、提供することができる。
【００５０】
以上には、ＧＲＩＮレンズ１３の第一端面が入力光ファイバ１１１及び出力光ファイバ１１２が並列配置された面に垂直な方向に対して傾いている光デバイス１を説明したが、ＧＲＩＮレンズ１３の第一端面が入力光ファイバ１１１及び出力光ファイバ１１２が並列配置された面に平行な方向に対して傾いている光デバイスにおいても、迷光抑制材１７は、戻り光Ｒの多重反射成分の受光ユニット１９への伝播を良好に抑制することができる。
【００５１】
また、戻り光Ｒの多重反射成分は多様であることから、ＧＲＩＮレンズ１３の第一端面が仮に傾いていない場合でも、迷光抑制材１７によって、戻り光Ｒの多重反射成分の受光ユニット１９側への伝播を少なからず抑制することができる。
【００５２】
［第二実施例］
続いて、第二実施例の光デバイス２について説明する。但し、第二実施例の光デバイス２は、第一実施例の光デバイス１において迷光抑制材１７とカバー体２０とが一体に形成されただけのものである。従って、光デバイス２の構成要素の内、第一実施例の光デバイス１と同一の構成要素には、同一符号を付し、以下では、その詳細説明を省略する。
【００５３】
図４に示す本実施例の光デバイス２は、カバー体２０が、第一収容部２１において、迷光抑制壁２１１を有した構成にされる。
迷光抑制壁２１１は、分岐ミラー１５の受光ユニット１９側の端面に接する位置において、第一収容部２１の内壁から突出するように設けられる。この迷光抑制壁２１１は、不透明部材により構成され、図２に示すように分岐ミラー１５の端面の内、正規光路に対応する中心領域以外を被覆する。
【００５４】
この光デバイス２によっても、第一実施例の光デバイス１と同様の効果が得られ、高精度に目的の光パワーを受光ユニット１９にて観測することができる。
［第三実施例］
続いて、第三実施例の光デバイス３について説明する。図５に示す第三実施例の光デバイス３は、ファイバアセンブリ５１と、コリメータレンズ５３と、分岐ミラー５５と、受光ユニット５９と、を図示しない筐体内に備える。
【００５５】
ファイバアセンブリ５１は、入力光ファイバ５１１及び出力光ファイバ５１２を保持する。入力光ファイバ５１１及び出力光ファイバ５１２は、互いに僅かに離れた位置で、ファイバアセンブリ５１の中心軸に沿って配置される。
【００５６】
コリメータレンズ５３は、入力光ファイバ５１１から到来する光信号Ｌをコリメートする。コリメートされた光信号Ｌは、分岐ミラー５５の中心領域に伝播する。分岐ミラー５５は、入力光ファイバ５１１からコリメータレンズ５３を介して到来する光信号Ｌを、反射光成分Ｌｒと透過光成分Ｌｔとに分岐する。分岐ミラー５５には、例えば、反射光成分Ｌｒと透過光成分Ｌｔとの光量比が１：１となるように設定されたハーフミラーが採用される。図５における破線は、光信号Ｌの正規光路を概念的に表したものである。
【００５７】
反射光成分Ｌｒは、コリメータレンズ５３を再度通過して出力光ファイバ５１２に入力され、出力光ファイバ５１２内を伝播する。一方、分岐ミラー５５を通過した透過光成分Ｌｔは、受光ユニット５９に伝播する。
【００５８】
受光ユニット５９は、分岐ミラー５５からの光信号Ｌの透過光成分Ｌｔの正規光路上に配置され、到来する光のパワーを検出する。受光ユニット５９は、例えば、フォトダイオードにより構成される。光パワーの検出信号は、処理ユニット６０に入力される。処理ユニット６０は、例えば、光パワーの検出値を、図示しないディスプレイに表示する。
【００５９】
本実施例の光デバイス３は、更に、迷光抑制材７１を備える。迷光抑制材７１は、分岐ミラー５５の受光ユニット５９側の端面の内、光信号Ｌの正規光路に対応する中心領域以外を被覆するように設けられる。迷光抑制材７１は、分岐ミラー５５の端面を超えて更に放射状に広がっており、上記中心領域の周囲に到来する迷光が受光ユニット５９側に伝播するのを抑える。この迷光抑制材７１は、不透明材により構成され、例えば反射防止機能（反射防止膜）を有した構成にされる。
【００６０】
更に、この光デバイス３は、コリメータレンズ５３の表面における光信号Ｌ（反射光成分Ｌｒを含む）の正規光路以外の領域を被覆する迷光抑制材７３を備えた構成にされる。この迷光抑制材７３は、コリメータレンズ５３の表面に設けられた不透明な被覆膜として構成され得て、例えば反射防止機能を有した構成にされる。
【００６１】
この迷光抑制材７３は、コリメータレンズ５３の周囲で発生する迷光が受光ユニット５９側に伝播するのを抑制する。例えば、出力光ファイバ５１２からの戻り光の内、分岐ミラー５５で反射した成分がコリメータレンズ５３を通過する際に発生する迷光が、受光ユニット５９側に伝播するのを抑制する。
【００６２】
以上、第三実施例の光デバイス３について説明したが、この光デバイス３においても、第一実施例及び第二実施例と同様に、方向性特性を改善することができ、高精度に目的の光パワーを受光ユニット５９にて観測することができる。
【００６３】
［対応関係］
最後に、用語間の対応関係について説明する。入力光ファイバ１１１，５１１及び出力光ファイバ１１２，５１２は夫々、第一の光ファイバ及び第二の光ファイバの一例に対応し、分岐ミラー１５，５５は、分岐ユニットの一例に対応する。迷光抑制材１７，７１，７３及び迷光抑制壁２１１は、抑制ユニットの一例に対応し、ピンホール形成壁２３１は、ピンホール形成体の一例に対応する。
【符号の説明】
【００６４】
１，２，３…光デバイス、１１，５１…ファイバアセンブリ、１３…ＧＲＩＮレンズ、１５，５５…分岐ミラー、１７，７１，７３…迷光抑制材、１９，５９…受光ユニット、２０…カバー体、２１…第一収容部、２３…第二収容部、２５…空間形成部、３０，６０…処理ユニット、５３…コリメータレンズ、１１１，１１２，５１１，５１２…光ファイバ、２１１…迷光抑制壁、２３１…ピンホール形成壁、２３３…開口部、２５１…傾斜面、Ｌ…光信号、Ｌｒ…反射光成分、Ｌｔ…透過光成分、Ｒ…戻り光、Ｒｒ…反射光成分、Ｒｔ…透過光成分。
【図１】
2015148752.tif 000003
【図２】
2015148752.tif 000004
【図３】
2015148752.tif 000005
【図４】
2015148752.tif 000006
【図５】
2015148752.tif 000007